(57)【要約】【課題】  メガネのフロント部両側に取付けたツルが何時までもガタ付くことなく折畳み操作が出来るツル継手構造の提供。【解決手段】  フロント部両側のヨロイ部７，７には二つ折りした上側片１２と下側片１３から成る継手部１１をカシメやロウ付けなどにて取着し、該継手部１１は形状記憶合金やステンレスなどのバネ性材質にて構成してツル１０の基部１５を弾性力を付勢して挟み込み、継手部１１の下側片１３には軸１８を突出し、この軸１８を基部１５に設けた軸穴１６に嵌めて軸支している。【選択図】    図２
2008298909.tif 000002
【特許請求の範囲】
【請求項１】
メガネのフロント部両側に折畳み出来るようにツルを取付ける継手構造において、フロント部両側のヨロイ又はヨロイ部には二つ折りした上側片と下側片から成る継手部をカシメやロウ付けなどにて取着し、該継手部は形状記憶合金やステンレスなどのバネ性材質にて構成してツルの基部を弾性力を付勢して挟み込み、継手部の一方側片には軸を突出し、この軸を基部に設けた軸穴に嵌めて軸支したことを特徴とするメガネのツル継手構造。
【請求項２】
メガネのフロント部両側に折畳み出来るようにツルを取付ける継手構造において、フロント部両側のヨロイ又はヨロイ部には二つ折りした上側片と下側片から成る継手部をカシメやロウ付けなどにて取着し、該継手部は形状記憶合金やステンレスなどのバネ性材質にて構成してツルの基部を弾性力を付勢して挟み込み、継手部の一方側片には穴を設け、この穴に基部に設けた軸に嵌めて軸支したことを特徴とするメガネのツル継手構造。
【請求項３】
上記継手部の上側片及び下側片と基部との間にワッシャを介在した請求項１、又は請求項２記載のメガネのツル継手構造。
【請求項４】
継手部の下側片に軸又は穴を設けた請求項１、請求項２、又は請求項３記載のメガネのツル継手構造。
【請求項５】
上記基部の先端にはツルが開いた際にヨロイ先端に当るストッパーを形成した請求項１、請求項２、請求項３、又は請求項４記載のメガネのツル継手構造。
【請求項６】
上記継手部をヨロイと一体化した請求項１、請求項２、請求項３、、請求項４、又は請求項５記載のメガネのツル継手構造。
【発明の詳細な説明】
【技術分野】
【０００１】
本発明はメガネのフロント部両サイドに取付けてツルが何時までもガタ付くことなく折畳み出来るように連結した簡単なツル継手構造に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルを連結している蝶番は非常に小さくなっていて、長いツルを支えるには大きな負担がかかる。従って、開閉操作に伴って蝶番の摺動面は摩耗し、ツルはガタ付きを生じて掛けているメガネが位置ズレするなど安定性が損われる。
【０００３】
特に近年のメガネフレームは軽くてバネ性に優れた材質が好まれる為に、この要求を満たす材質としてチタン材が多用されている。そして、蝶番もチタン製とされる場合が多く、このチタン製蝶番ではその摺動面の摩耗が特に著しい。そしてチタン製蝶番では切削加工された摺動面が鋳物のように微細な凹凸面となっていて、すなわち滑らかな面でないことから、ツルの折畳み操作に際してキシミを発生し、滑らかな折畳み操作が出来ない。これは滑らかな摺動が得られない為である。
【０００４】
そこで、従来ではこの小さな蝶番の摺動面にワッシャを介在することで滑らかな摺動をもたらし、磨耗を防止する対策が講じられている。特開２００４−１３８７１８号に係る「メガネフレームのツル折畳み継手及び蝶番並びにワッシャ」は、互いに噛み合う一方の蝶片コマの軸穴にワッシャの筒部を嵌入し、該筒部に別のワッシャの筒部を嵌めて他方の蝶片コマと軸ネジを介して組み付けしている。しかし、小さな蝶番にさらに小さなワッシャを取付けて組付ける作業は容易でなく、生産性が悪くなる。勿論、製作コストは高く成ってしまう。
【０００５】
又、特開２００２−２０７１９８に係る「メガネフレームのツル継手構造」は、ヨロイ先端には軸受けを備えると共に軸受けの軸穴には円形ツバを形成した軸を回転可能に嵌め、そして軸にはツルを連結して軸穴から外側に貫通したスライド溝に沿ってツルは開閉することが出来、スライド溝を形成するガイド片の一部にはツルが挿通する大きさの切欠き部を有し、そして軸部の外周面には押圧部を当接してバネ力を付勢した構造となっている。従って、ツルは折畳み操作に際してガタ付くことはないが、しかし構造が複雑になり、コストは必然的に高く成ってしまう。
【特許文献１】特開２００４−１３８７１８号に係る「メガネフレームのツル折畳み継手及び蝶番並びにワッシャ」
【特許文献２】特開２００２−２０７１９８に係る「メガネフレームのツル継手構造」
【発明の開示】
【発明が解決しようとする課題】
【０００６】
このように、従来のツル継手構造には上記のごとき問題がある。本発明が解決しようとする課題はこれら問題点であり、極めて簡単な構造であって製作並びに組付けコストも安くなり、さらにツルが何時までもガタ付くことなく安定した折畳み操作を持続することが出来るメガネフレームのツル継手構造を提供する。
【課題を解決するための手段】
【０００７】
本発明に係るツル継手構造は、ヨロイ先端に設けた継手部にツルの基部を挟み込んだ構造としている。すなわち、継手部は上側片と下側片とが二つ折りして構成され、上側片と下側片とで基部が挟まれる。ここで、継手部は一般に形状記憶合金が用いられ、常温ではツルの基部に弾性力が付勢された状態で挟まれている。又はステンレス材や合金バネ材などにて継手部を構成することも可能であり、いずれの材質からなる継手部であっても基部に弾性力を付勢した状態で挟み込んだ構造としている。
【０００８】
ただし、上側片と下側片にて挟み込むだけではツルの基部を位置決めすることは出来ない為に、本発明では一方の側片側に軸を設けており、該軸を基部に形成した軸穴に嵌めてツルを連結すると共に折畳み動作を可能としている。又、軸を基部側に設け、この軸を一方の側片に形成した軸穴に嵌めてツルを折畳み可能とすることも出来る。上記一方の側片としては一般に下側片が用いられる。
【０００９】
ここで、ツルの折畳み操作に際して側片と基部間の回転摺動を滑らかならしむと共に磨耗防止を図る為に、継手部の上側片及び下側片と基部との間にワッシャを介在することもある。そして、二つ折りされた継手部の一部又はヨロイ部先端にストッパーとして機能する部位を設け、該部位に当ることでツルが開く際の開き度が規制される。
【発明の効果】
【００１０】
本発明に係るツル継手構造は、ツルの基部がヨロイ側に設けた継手部に挟まれる構造となっている。そして、二つ折りされた継手部の側片に突出した軸が基部に設けた軸穴に嵌って軸支され、又は基部に設けた軸が側片に形成した軸穴に嵌って軸支されることで、ツルは軸を中心に旋回して折畳まれる。継手部は形状記憶合金やステンレスなどのバネ性材料を材質としているために、弾性力を付勢した状態で基部は挟み込まれ、従ってツルは何時までもガタ付くことなく滑らかな折畳み操作が可能と成る。
【００１１】
すなわち、基部の摺動面及び継手部の摺動面が多少摩耗しても該基部を挟み込む弾性力が大きく低下することはない。継手部の材質として形状記憶合金を使用するならば、二つ折りした該継手部を加熱したり又は冷却するならば、該継手部は軟らかくなって開口から基部を間に挟みこむことが出来、ツルの取付け作業も至って簡単である。勿論、構造も簡素化されることでコストは安く、故障することなく安定した折畳み操作が保証される。ここで、上記基部が軸支される軸をネジ軸とすることも可能であるが、側片と一体化した軸とすることで弛みや脱落もない。
【実施例】
【００１２】
図１は本発明に係るツル継手構造を備えているメガネを表している。同図に示すメガネはレンズ１の上側に位置するハーフリム部２と下側に張設した水糸３にて該レンズ１を保持した構造であり、一般にナイロールフレームと称されている。ハーフリム部２，２は中央に連結部４を設け、外側にはヨロイ部７，７を設けて連続し、連結部４の背面側には補助連結部５が重なり合って中央部の強度を高くしている。
【００１３】
補助連結部５は両側にアーム６，６を延ばした概略門形を成し、アーム先端とヨロイ部７に水糸３の先端を固定してレンズ１が保持されている。そして、上記アーム６には湾曲した脚８をロウ付けし、該脚先端には鼻当てパット９を取付けている。そして、このように構成しているメガネのフロント部の両側となるヨロイ部７，７には継手部１１，１１を介してツル１０，１０が折畳み出来るように取付けられている。
【００１４】
ところで、ヨロイ部７の先端には上記継手部１１が固定され、この継手部１１にツル１０が取付けられる。該継手部１１はヨロイ部７の先端にピン１４を穴に挿通してカシメ、その後ロウ付けした取着構造となっている。そして、この継手部１１にツル１０が取付けられているが、該継手部１１は上側片と下側片の二つ折り形態と成っていて、ツル１０の基部は上側片と下側片とで挟み込まれた継手構造を構成している。
【００１５】
図２はツル継手構造を表している実施例である。継手部１１は二つ折りされて上側片１２と下側片１３を有し、上側片１２は長く成っていてヨロイ部７の先端とピン１４にてカシメられ、しかも動かないようにロウ付けされている。従って、継手部１１はヨロイ部７の先端に固定された状態にある。又、継手部１１をヨロイ部７に固定するのではなく、該ヨロイ部７に一体化して形成することもある。
【００１６】
そして、この継手部１１にはツル１０の基部１５が回転出来るように連結され、その為に、上側片１２と下側片１３とで基部１５が挟み込まれている。しかし、挟まれただけの状態では継手部１１から基部１５は離脱する為に、基部１５に設けた軸穴１６には下側片１３から突出した軸１８が嵌っている。ここで、上側片１２には軸を設けていない。
【００１７】
従って、基部１５は継手部１１から離脱することはなく、軸１８を中心として回転し、ツル１０はスムーズに旋回して折畳まれる。そして、基部１５の先端にはストッパー１９が形成され、このストッパー１９はヨロイ部７の先端に当って停止し、ツル１０の開き度が規制される。
【００１８】
図３は継手部１１を単独で表しているが、この材質は形状記憶合金が使用され、常温では同図に示すように下側片１３は上側片１２の側へ僅かに寄っていて、開口２０にツル１０の基部１５を挟むことは出来ない。すなわち、この状態で記憶されていて、該継手部１１を一定以上の高温に加熱することで、又は一定以下の温度に冷却することで軟らかくなり、開口２０を開くことが出来る。
【００１９】
従って、継手部１１を軟らかくした状態で基部１５を簡単に挟んで、軸穴１６には下側片１３から起立した軸１８を嵌めることが出来る。そして、該継手部１１が常温になるならば、図３の状態に復元する弾性力(バネ力)が発生し、この弾性力によって基部１５は挟み込まれる。従って、基部１５と上側片１２及び下側片１３との間に隙間が発生することはなく、ツル１０の開閉操作に際してガタ付くこともない。使用に伴って回転摺動面が多少摩耗しても、弾性力が低下して隙間が生じることもない。
【００２０】
図２に示している継手構造の場合、継手部１１の上側片１２と下側片１３とで基部１５を直接挟み込み、又軸穴１６に下側片１３から起立した軸１８を直接嵌めている。従って、ツル１０を折畳む場合には、基部１５が回転して上側片１２の内面及び下側片１３の内面と該基部１５の上下面とが擦れ合い、又軸１８の外周面は基部１５の軸穴１６の内周面と擦れ合う。そこで、直接接して擦れ合うことを避ける為に、回転摺動面にワッシャを介在することもある。
【００２１】
図４は本発明に係るツル継手構造の展開図を示す他の実施例である。継手部１１は概略コ形を成して上側片１２と下側片１３を有し、下側片１３には穴１７が貫通している。そして、ツル１０の基部１５には軸２１が下方へ突出し、基部１５の上面には穴２２を形成している。穴２２の中心は軸２１の中心と同軸を成し、該軸２１にはワッシャ２３が嵌り、穴２２にはワッシャ２４が嵌着される。
【００２２】
ところで、軸２１にワッシャ２３を嵌め、穴２２にワッシャ２４を嵌めた状態で基部１５は継手部１１に取付けられ、軸２１に嵌ったワッシャ２３は下側片１３に貫通して設けた穴１７に嵌められる。ここで、上記ワッシャ２３，２４の材質は特に限定しないが、継手部１１の上側片１２及び下側片１３、又は基部１５との間で滑らかに摺動できる材質が用いられる。
【００２３】
一方、上記ワッシャ２３，２４を用いることなく、基部１５の下方へ突出した軸２１を直接継手部１１の下側片１３に形成した穴１７に嵌めることもある。勿論、この場合の穴径は小さくなる。基部１５の上面と継手部１１の上側片１２との間に介在する上記ワッシャ２４は、該基部１５側に取付けることなく上側片１２側に取付けることもある。従って、この場合には基部１５の穴２２は不要となり、その代わり上側片１２に穴を設けて位置決めされる。
【図面の簡単な説明】
【００２４】
【図１】本発明の継手構造を備えたメガネ。
【図２】本発明に係るツル継手構造を示す実施例。
【図３】継手構造を構成する継手部の具体例。
【図４】本発明に係るツル継手構造の展開図を示す実施例。
【符号の説明】
【００２５】
１  レンズ
２  ハーフリム部
３  水糸
４  連結部
５  補助連結部
６  アーム
７  ヨロイ部
８  脚
９  鼻当てパット
10  ツル
11  継手部
12  上側片
13  下側片
14  ピン
15  基部
16  軸穴
17  穴
18  軸
19  ストッパー
20  開口
21  軸
22  穴
23  ワッシャ
24  ワッシャ
【図１】
2008298909.tif 000003
【図２】
2008298909.tif 000004
【図３】
2008298909.tif 000005
【図４】
2008298909.tif 000006